(57)【特許請求の範囲】
【請求項１】
輪転印刷系中を並進させるべき材料ウェブを取り付けるための装置において、
規定された長さを有する側部と、ウェブに取り付けられるための底部とを有するトライアングル部材と、
該トライアングル部材とウェブとを案内するために、トライアングル部材の前記規定された長さのほぼ全長に沿って前記トライアングル部材の前記側部に取り付けられたガイド部材とが設けられており、
前記トライアングル部材の前記側部が、トライアングル部材をガイド部材に取り付ける際にこれらを互いに結合するための、両部材に沿って設けられた複数の定置の結合箇所において、前記ガイド部材に取り付けられており、
前記トライアングル部材が、織物状材料から製造されており、
前記トライアングル部材が斜辺を有しており、前記織物状材料が前記斜辺に対して平行に方向付けられた織り糸を有している
ことを特徴とする、輪転印刷系中を並進させるべき材料ウェブを取り付けるための装置。
【請求項２】
前記トライアングル部材の前記側部が前記ガイド部材に取り外し可能に取り付けられている、請求項１記載の装置。
【請求項３】
前記トライアングル部材の前記側部が、柱状部材と鳩目とによって、前記ガイド部材に取り付けられている、請求項１記載の装置。
【請求項４】
前記トライアングル部材の前記側部が、ジッパーによって前記ガイド部材に取り付けられている、請求項１記載の装置。
【請求項５】
前記トライアングル部材が繊維ガラスマットから製造されている、請求項１記載の装置。
【請求項６】
前記トライアングル部材がコーティングされた研磨性材料から製造されている、請求項１記載の装置。
【請求項７】
前記トライアングル部材の前記底部に、剛性化パッドを有しており、該剛性化パッドが前記トライアングル部材をウェブに取り付けるようになっている、請求項１記載の装置。
【請求項８】
前記剛性化パッドがウェブ移動方向に可撓性を有している、請求項７記載の装置。
【請求項９】
前記剛性化パッドが、ポリマーと金属とから成る群から選択された材料から製造されている、請求項７記載の装置。
【請求項１０】
前記剛性化パッドが、前記トライアングル部材と一体的である、請求項７記載の装置。
【請求項１１】
前記剛性化パッドが、ウェブを受容するために、内部に形成されたスロットを有している、請求項７記載の装置。
【請求項１２】
前記ウェブが前記スロットを貫通した後で、接着剤によってウェブ自体に結合されるようになっている、請求項１１記載の装置。
【請求項１３】
前記剛性化パッドが、前記スロットに、丸みを付けられたエッジを有している、請求項７記載の装置。
【請求項１４】
前記トライアングル部材の前記底部にクランプバー構造を有しており、前記クランプバー構造が前記トライアングル部材をウェブに取り付けるようになっている、請求項１記載の装置。
【請求項１５】
前記クランプバー構造が、丸みを付けられた横断面を備えたクランプバーを有している、請求項１４記載の装置。
【請求項１６】
前記ガイド部材に前記トライアングル部材を取り付けるための柱部材作動装置を有しており、該柱部材作動装置が、前記柱状部材を案内するための連続体ガイドと、前記鳩目を前記柱状部材の上方に案内するためのトライアングル部材ガイドとを有している、請求項３記載の装置。
【請求項１７】
前記トライアングル部材ガイドが、前記柱状部材のうちの１つを受容するために形成されたスロットを有している、請求項１６記載の装置。
【請求項１８】
輪転印刷系中を並進させるべき材料ウェブを取り付けるための方法において、
規定された長さを有する側部と底部とを有するトライアングル部材を準備し、前記トライアングル部材が、織物状材料から製造されており、前記トライアングル部材が斜辺を有しており、前記織物状材料が前記斜辺に対して平行に方向付けられた織り糸を有しており、
前記底部をウェブに取り付け、
トライアングル部材とウェブとを案内するために、トライアングル部材の側部の前記規定された長さのほぼ全長に沿ってガイド部材を取り付け、
トライアングル部材をガイド部材に取り付ける際にこれらを互いに結合するための、両部材に沿って設けられた複数の定置の結合箇所において、ガイド部材にトライアングル部材の側部を取り付けることにより取り付けステップを行う
ことを特徴とする、輪転印刷系中を並進させるべき材料ウェブを取り付けるための方法。
【請求項１９】
ガイド部材にトライアングル部材の側部を取り外し可能に取り付けることによって取り付けステップを行う、請求項１８記載の方法。
【請求項２０】
柱状部材と鳩目とによって、ガイド部材にトライアングル部材の側部を取り付けることにより取り付けステップを行う、請求項１８記載の方法。
【請求項２１】
ジッパーによって、ガイド部材にトライアングル部材の側部を取り付けることによって取り付けステップを行う、請求項１８記載の方法。
【請求項２２】
トライアングル部材の底部に剛性化パッドを設け、該剛性化パッドに形成したスロットを通してウェブを供給することによって該ウェブにトライアングル部材の底部を取り付けるステップを行う、請求項１８記載の方法。
【請求項２３】
ウェブを、前記スロットを貫通させたあとで接着剤でウェブ自体に結合する、請求項２２記載の方法。
【請求項２４】
トライアングル部材の底部にクランプバー構造を設け、該クランプバー構造でトライアングル部材にウェブをクランプすることによってウェブにトライアングル部材の底部を取り付けるステップを行う、請求項１８記載の方法。
【請求項２５】
柱状部材作動装置の連続体ガイドで柱状部材を案内し、柱状部材作動装置のトライアングル部材ガイドで柱状部材の上方に鳩目を案内する、請求項２０記載の方法。
【発明の詳細な説明】
【０００１】
【発明の属する技術分野】
本発明は、輪転印刷系中を並進させるべき材料ウェブを取り付けるための装置および方法に関する。
【０００２】
【従来の技術】
シングルサイド・ウェブアップ・システムつまり片側・ウェブ上げシステム(single side web-up systems)は、ウェブ引き込み装置に関連している。このウェブ引き込み装置においては、ロール交換器を出発して、レールが印刷機壁の片側で、印刷装置、乾燥機、冷却ローラセクションを通って折り機にまで、または部分的に折り機をも貫通して延びている。このようなガイドレールには、駆動されるキャリッジまたはスネーク状のエレメント（米国特許第５８０９８９２号明細書参照）として、または比較的旧式の装置においては引張りフックが固定されたエンドレスのチェーンとしても構成することができるウェブ引き込みエレメントが延びている。このウェブ引き込みエレメントには、輪転印刷機を貫通させるべき被印刷ウェブの先端部がこの被印刷ウェブを通すために固定される。多数の印刷装置と種々異なるウェブ経路を有する、新聞紙印刷のための輪転印刷機の場合、ウェブ経路相互間の切換を可能にするために、例えば転轍器（ポイント）が設けられていてよい。このことは米国特許第５８０９８９２号明細書の図４に示されている。以上のように「シングルサイド」とは、引き込みエレメントを備えたレールが印刷機の片側つまり一方の側にだけ配置されていることを意味し、これに対して印刷機の両側面に互いに平行に延びるレールが配置されていてもよい。
【０００３】
上記シングルサイド・ウェブアップ・システムは、ガイド部材（一般に「スネーク」として知られている）にウェブを取り付けるための手段を必要としている。このような手段は一般的には、トライアングルの形状（一般に「カイト」つまり「凧」として知られている）を有している。ウェブの幅方向にかかるウェブテンションによって加えられる側方の負荷は、トライアングル部材の頂点に集められる。この頂点でトライアングル部材はガイド部材に取り付けられている。これらの側方の負荷はウェブの脱落、または、ウェブの皺形成または裂断を招くおそれがある。
【０００４】
さらに、ガイド部材に対するトライアングル部材の取り付けは、不均一な負荷(offset loading)および／またはウェブのずれが回避されるように、所望のウェブ経路に対して、トライアングル部材を相対的に整列させる際に問題をもたらす。現今、トライアングル部材はガイド部材にトライアングル部材の頂点で結合されている。しかしながらこのことは、トライアングル部材が旋回し得る回転自由度をもたらす。このことはトライアングル部材がウェブに取り付けられたときに問題となる。トライアングル部材はウェブ経路に沿って位置固定されていないので、トライアングル部材をウェブに対して整列させることは困難である。さらに、トライアングル部材のエッジを、このエッジがウェブのエッジと合致するように位置決めすることも困難である。
【０００５】
この問題は、第１に操作員がリール台で働かなければならない小さなスペースによって、第２に、有利にはフラットな表面で作業するのとは異なりペーパーリールによって規定された、丸みを有する面で作業することにより加えられる制限によって一層大きくなる。
【０００６】
ウェブに対するガイド部材のコンベンショナルな取り付けは米国特許第５０２９７４２号に示されている。このような部材においては、ウェブに取り付けられるフレキシブルな引張りシートが、取り付けクランプによって引き込みエレメントに位置固定されている。この引き込みエレメントは、印刷機中にウェブを通すためのケーブルを有している。
【０００７】
【発明が解決しようとする課題】
従って、本発明の課題は、冒頭で述べた形式の、輪転印刷系中を並進させるべき材料ウェブを取り付けるための装置および方法を改良して、従来知られている、このような一般的なタイプの方法および装置の前記欠点を克服し、ウェブの脱落、皺形成、または裂断を防止し、所望のウェブ経路に対するトライアングル部材の相対的な整列を助成し、しかもスペース限界およびペーパーリールの丸い表面に適合する装置および方法を提供することである。
【０００８】
【課題を解決するための手段】
この課題を解決するために本発明の構成では、輪転印刷系中を並進させるべき材料ウェブを取り付けるための装置において、規定された長さを有する側部と、ウェブに取り付けられるための底部とを有するトライアングル部材と、該トライアングル部材とウェブとを案内するために、トライアングル部材の前記規定された長さのほぼ全長に沿って前記トライアングル部材の前記側部に取り付けられたガイド部材とが設けられているようにした。
【０００９】
【発明の効果】
従って、本発明による解決策の重要な部分は、トライアングル部材がガイド部材と接する場所の長さ部分に沿って、トライアングル部材がガイド部材に取り付けられていることである。
【００１０】
本発明の別の構成によれば、トライアングル部材がトライアングル部材の全長に沿ってガイド部材に取り付けられるように列を成す取り付け点が形成されている。その理由は、第１には、トライアングル部材の整列が定置の取り付け点の位置によって保証され、第２には、トライアングル部材が操作員によって簡単に着脱可能であることである。
【００１１】
本発明のさらに別の構成によれば、トライアングル部材が、繊維ガラスマット（ファイバーグラス・マット）のような強化された材料から製造されている。このマットは織られていてもよい。このマットは織り糸に垂直な方向付けをもたらす。マットは研磨性を有していてもよいので、マットはウェブロールに接触したときにマーキングが生じるのを防ぐためのコーティングを有することができる。マットのために考慮できる材料は、アラミドまたは炭素繊維を有する材料であり、コーティングはゴムまたはネオプレンのようなエラストマ−材料である。強化方向性はトライアングル部材にとって重要である。ウェブ負荷に基づく一様でない応力のエリアを最小化するために、一方の織り糸はトライアングル部材の斜辺に対して平行であってよい。垂直な織り糸は影響を及ぼすことはない。このような方向付けは、マット内の各平行なストランドによって規定されたトライアングル部材の多様性をもたらす。これらのストランドはウェブから、ガイド部材における取り付け点への構造的な支持として役立つ。これにより、ガイド部材に最適化された負荷分配がもたらされ、ウェブをずらす傾向のある回転自由度が排除される。
【００１２】
本発明のさらに別の構成によれば、トライアングル部材の底部の、ウェブに極めて接近した場所に、剛性化パッド（スチフナパッド）が設けられている。この剛性化パッドは、ウェブの運動および皺形成を防ぐように、ウェブ幅に沿った剛性の支持体として役立つ。このパッドは、ウェブを引張るときにロールに沿ってウェブが撓むことを可能にするためにウェブの移動方向にコンプライアンスを有している。剛性化パッドにとって好ましい材料はポリマーであるが、しかしロールに接触しているあいだにロールにマーキングを生ぜしめるのでなければ、金属が使用されてもよい。熱可塑性プラスチック、デルリン（登録商標）またはナイロンが使用されてもよい。このパッドは、トライアングル部材の一体的な部分になるように、トライアングル部材に結合されている。このパッドはスロットを有している。このスロットをウェブが貫通することにより、トライアングル部材にウェブが結合される。ウェブはスロットを通って巻き付けられ、接着テープの使用によってウェブ自体に結合されている。パッドはウェブの裂断を防ぐためにスロットに丸みをつけられたエッジを有している。
【００１３】
本発明のさらに別の構成によれば、ウェブにトライアングル部材を取り付けるために、トライアングル部材の底部にクランプバー構造が設けられている。クランプバー構造はクランプバーを有しており、これらのクランプバーもウェブの裂断を防ぐ、丸みをつけられた横断面を備えている。
【００１４】
本発明のさらに別の構成によれば、トライアングル部材は、トライアングル部材に配置されてガイド部材に対して平行な、直線状に整列した鳩目列を使用することにより、ガイド部材に取り付けられている。これらの鳩目はガイド部材に配置された柱状部材に係合する。これらの柱状部材は、ウェブ上げ(web-up)中に鳩目を保持するために役立つ。柱状部材はウェブ上げ中に鳩目が柱状部材から抜けるのを防ぐように構成されている。柱状部材も鳩目を捕らえるために開閉式に構成されていてよい。全体的な作用はジッパーに類似している。この場合、柱状部材の作動は、鳩目が柱状部材を通過できるように、柱状部材を閉鎖状態にウェッジで固定する装置によって操作される。鳩目が所定の位置に位置したあとで、このウェッジが外され、柱状部材が鳩目を保持するために開くのを可能にする。この作動装置は、２つの印刷システム位置、つまりトライアングル部材を装着するリールスタンドと、トライアングル部材を取り除くためのフォルダギャザリングロール(folder gathering roll)に配置される。
【００１５】
本発明のさらに別の構成では、柱状部材・鳩目構造の場所にジッパーが使用されている。このような構成は、ジッパーに設けられた歯列のピッチによって規定された、密な間隔を有する支持が得られるので有利である。このジッパーも、ウェブ移動経路に沿って固有のフレキシビリティーを有しており、着脱が容易に行われる。自動化された装置が手による着脱を排除するために利用されてもよい。
【００１６】
本発明のさらに別の構成では、ガイド部材にトライアングル部材を取り付けるための柱状部材作動装置が設けられている。柱状部材作動装置は、柱状部材を案内するための連続体ガイド(train guide)と、柱状部材の上方に鳩目を案内するためのトライアングル部材ガイドとを有している。トライアングル部材ガイドは柱状部材のうちの一つを受容するために形成されたスロットを有している。
【００１７】
柱部材作動装置は、手によって各鳩目をこれに対応する柱状部材の上方に位置決めすることなく、ガイド部材にトライアングル部材を効果的に取り付けるために使用される。第１の鳩目だけは取り付けを開始するために手による整列を必要とする。
【００１８】
この柱状部材作動装置は、ガイド部材上へトライアングル部材の長さ部分を効果的に捕らえるために、対応する柱状部材の位置上に多数の鳩目を自動的に係合するために使用されてもよい。柱状部材作動装置は、トライアングル部材を取り外すこともでき、連続体上にトライアングル部材を遊動させるための自動繰り出し装置、または、トライアングル部材を取り外し、保管するための巻き取り装置の使用を可能にする。
【００１９】
本発明による、輪転印刷系中を並進させるべき材料ウェブを取り付けるための方法においては、規定された長さを有する側部と底部とを有するトライアングル部材を準備し、前記底部をウェブに取り付け、トライアングル部材とウェブとを案内するために、トライアングルの側部の前記規定された長さのほぼ全長に沿ってガイド部材を取り付ける。
【００２０】
本発明の別の方法では、定置の取り付け点でガイド部材にトライアングル部材の側部を取り付けることにより取り付けステップを行う。トライアングル部材の側部は取り外し可能にガイド部材に取り付けることができ、柱状部材と鳩目とで、または、ジッパーで取り付けることができる。
【００２１】
本発明のさらに別の方法では、トライアングル部材の底部に剛性化パッドを設け、剛性化パッドに形成したスロットを通してウェブを供給することによって該ウェブにトライアングル部材の底部を取り付けるステップを行う。ウェブは、スロットを貫通したあとで接着剤でウェブ自体に結合される。
【００２２】
本発明のさらに別の方法では、トライアングル部材の底部にクランプバー構造を設け、クランプバー構造でトライアングル部材にウェブをクランプすることにより、ウェブにトライアングル部材の底部を取り付けるためのステップを行う。クランプバー構造のクランプバーはねじまたはクリップによって固定してよい。
【００２３】
本発明の付加的な手段においては、柱状部材作動装置の連続体ガイドで柱状部材を案内し、柱状部材作動装置のトライアングル部材ガイドで柱状部材の上方に鳩目を案内する。
【００２４】
本発明の特徴として考慮された他の実施態様は、別の請求項に示されている。本発明は、輪転印刷系中を並進させるべき材料ウェブを取り付けるための方法および装置において具体化されるものとして図示し説明しているが、多様な実施態様および構造的な変更を、本発明の思想を逸脱することなしに、しかも請求の範囲の同等の範囲内で行うことができるので、本発明は、具体的に示した詳細に限定されるものではない。
【００２５】
しかしながら、本発明の構成および操作方法は、付加的な目的およびその利点と共に、以下の実施例によって添付の図面と相俟って最もよく理解することができる。
【００２６】
【発明の実施の形態】
以下に本発明の実施の形態を図面につき詳しく説明する。
【００２７】
図面のうち特に図１には、輪転印刷系中を並進させるべき材料ウェブを取り付けるための、シングルサイド・ウェブアップ装置の形の、本発明による装置の実施例が示されている。この装置はトライアングル部材またはカイト部材１を有している。このトライアングル部材１はウェブ３とガイド部材またはスネーク部材２に取り付けられている。図１に全体を示されたトライアングル部材１は、矢印の示す移動方向に並進運動をもたらし、しかもウェブ３を支持できるようにガイド部材２に取り付けられている。剛性化パッド４がウェブの全幅の支持部として働き、ウェブとトライアングル部材との取り付け界面として働く。
【００２８】
図２は、マット材料の平行および垂直な配置を描くのに使用される、トライアングル部材１の強化方向性を示している。トライアングル部材１は織物状マットから形成されている。マットは、ウェブテンションから負荷８を分配するために、トライアングル部材の斜辺に対して相対的に方向付けられた平行な織り糸５と垂直な織り糸６とを有している。このマットは繊維ガラスタイプの材料から形成されていてよい。
【００２９】
図３ａはトライアングル部材の剛性化およびアタッチメントの構造の詳細を示している。トライアングル部材１とウェブ３とは剛性化パッド４によって相互に結合されている。剛性化パッド４は接着部および／または縫い目９によってトライアングル部材１に結合されている。ウェブ３は、ウェブをそれ自体に接着テープ１１によって位置固定するために、スロット１０を貫通している。このスロット１０は図３ｂにおいてウェブのない状態で示されている。図３ｃに示したように、スロット１０は、丸みを付けられた材料から成るエッジ部分１２を有している。これにより、ウェブが剛性化パッド４の薄い性質に起因して切断されるのを防ぐことができる。
【００３０】
図４ａはガイド部材２へのトライアングル部材１の取り付けのための柱状部材・鳩目構造１３を示している。トライアングル部材１はトライアングル部材の長さに沿ってガイド部材２に取り付けられている。図４ｂからよく判るように、鳩目１４は、柱状部材が鳩目を捕らえるように、柱状部材１５に滑り被せられる。図４ｃに示したように、柱状部材１５はウェブ移動方向に向いたリップ１６を有している。このリップ１６は、鳩目１４を保持し、トライアングル部材１がガイド部材２から滑脱することを防ぐために働く。しかしながら柱状部材１５の構造はトライアングル部材から容易に取り外すことができる。
【００３１】
図５はトライアングル部材１の取り付けのためのジッパー構造を示している。図示のジッパー１７は、柱状部材・鳩目構造と同じ機能を有している。ジッパー１７は、ガイド部材２とトライアングル部材１とに、接着部１８および／または縫い目１９によって取り付けられている。ジッパー１７に対する接着部１８と縫い目１９との相対位置が図示のものとは逆になってもよいことは明らかである。さらに、両取り付け部が接着によって行われても、または両取り付け部が縫合によって行われてもよい。
【００３２】
図６ａは、クランプバー構造２０を使用することにより、ウェブ３にトライアングル部材またはフレキシブルなカイト部材１を取り付けている様子を示している。図６ｂに示したように、クランプバー構造は、２つのクランプバー２１，２２を有している。これらの両クランプバーの間に、トライアングル部材１とウェブ３とがクランプされている。クランプバー２１，２２は、ねじ２３および／またはクリップ２４とによって一緒に保持されている。これらのねじおよび／またはクリップは、溝に押し込まれるかまたは配置されていてよい。図６ｃに示したように、クランプバー２１，２２はドーム形に形成されていてもよい。
【００３３】
図７ａは、トライアングル部材、およびガイド部材つまりスネーク部材または連続体を示す側面図である。柱部材作動装置が、トライアングル部材１をガイド部材２に、それぞれの柱状部材１５の上方に各鳩目１４を位置決めする必要なしに取り付けるために設けられている。
【００３４】
この柱部材作動装置は、トライアングル部材１をガイド部材２に取り付けるための、トライアングル部材ガイド２５と連続体ガイド２６とを有している。図７ｂに示したように、トライアングル部材ガイド２５は、柱状部材１５のシャンクが鳩目１４のアイを貫通することができるように、柱状部材１５に対して垂直に鳩目１４を方向付けしている。この図面に示すように、連続体ガイド２６はこのような動作が行われている間、ガイド部材２の方向を維持するために働く。柱状部材１５は、トライアングル部材ガイド２５に設けられたスロット２７を貫通することができる。このことは図７ｃ，７ｄに示されている。柱状部材１５が鳩目１４のアイを貫通したあと、トライアングル部材１とガイド部材２とは、鳩目１４を柱状部材１５上にロックするために、平行に整列させられる。このことは、これらの２つの構成部分の組み合わせに続く移動中にこれらの構成部分が分離するのを阻止する。
【図面の簡単な説明】
【図１】ガイド部材とウェブとに取り付けられたトライアングル部材を有する、本発明によるウェブ取り付け装置を部分的かつ概略的に示す頂面図である。
【図２】織物状マットの詳細を示すトライアングル部材の頂面図である。
【図３】ウェブに取り付けられたトライアングル部材の部分的な頂面図ａ、該頂面図ａに示されたトライアングル部材において、ウェブを取り除いた状態を示す部分的な拡大頂面図ｂ、および、該拡大頂面図ｂのＩＩＩ−ＩＩＩ線に沿って矢印方向で見た状態を示す横断面図ｃである。
【図４】柱状部材と鳩目とによってガイド部材に取り付けられたトライアングル部材の部分的な頂面図ａ、該頂面図ａに示されたトライアングル部材およびガイド部材を分解した状態で示す部分的な拡大頂面図ｂ、および、柱部材および鳩目の詳細を示す部分的な断面斜視図ｃである。
【図５】接着部、縫い目、ジッパーによってガイド部材に取り付けられたトライアングル部材の部分的な頂面図である。
【図６】ウェブに取り付けられたクランプバー構造を有するトライアングル部材を縮小して示す頂面図ａ、該頂面図ａのトライアングル部材、クランプバー構造およびウェブの側方立面図ｂ、およびクランプバー、トライアングル部材およびウェブを示す端部立面図ｃである。
【図７】トライアングル部材、ガイド部材および柱状部材作動装置を示す側方立面図ａ、トライアングル部材、ガイド部材および柱状部材作動装置を拡大して部分的に示す側方立面図ｂ、柱状部材作動装置のトライアングル部材ガイドを示す断面図ｃ、および、トライアングル部材ガイドを示す端部立面図ｄである。
【符号の説明】
１  トライアングル部材、  ２  ガイド部材、  ３  ウェブ、  ４  剛性化パッド、  ５，６  織り糸、  ７  斜辺、  ８  負荷、  ９  接着部および／または縫い目、  １０  スロット、  １１  接着テープ、  １２  エッジ部分、  １３  柱状部材・鳩目構造、  １４  鳩目、  １５  柱状部材、  １６  リップ、１７  ジッパー、  １８  接着部、  １９  縫い目、  ２０  クランプバー構造、  ２１，２２  クランプバー、  ２３  ねじ、  ２４  クリップ、  ２５  トライアングル部材ガイド、  ２６  連続体ガイド、  ２７  スロット
【図１】
0004638577.tif 000002
【図２】
0004638577.tif 000003
【図３】
0004638577.tif 000004
【図４】
0004638577.tif 000005
【図５】
0004638577.tif 000006
【図６】
0004638577.tif 000007
【図７】
0004638577.tif 000008